(57)【要約】【課題】所定の長さの文字列や微小部分の消去作業を容易且つ確実に行うことができる塗膜転写具を提供すること。【解決手段】塗膜転写具１０にテープ繰出長規制機構２０を設けることにより、繰出コア２４ｂの回転範囲を規制し、その結果、転写テープの繰出長さを規制して、所定の長さの文字列や微小部分の消去作業を可能にする。テープ繰出長規制機構２０は、繰出コア２４ｂと一体回転するギア２５と、ギア２５に噛合うテープ繰出長規制部材２６と、テープ繰出長規制部材２６の回転規制部２８から構成される。塗膜転写具１０には、ギア２５の逆転防止部材２７と、テープ繰出長規制機構２０の作動を解除する機構が設けられ、ギア２５の逆転を防止し、通常どおりの転写作業も行うことができるようになっている。【選択図】図１
2006123464.tif 000002
【特許請求の範囲】
【請求項１】
塗膜と基材テープからなる転写テープを繰出コアから繰出し、転写ヘッドで前記塗膜を被転写体に押圧して転写し、転写後の基材テープを巻取コアに巻取る塗膜転写具において、
前記繰出コアの回転範囲を規制することにより前記転写テープの繰出長さを規制するテープ繰出長規制機構を有することを特徴とする、
塗膜転写具。
【請求項２】
前記テープ繰出長規制機構が、前記繰出コアと一体回転するギアと、前記ギアに噛合うテープ繰出長規制部材と、該テープ繰出長規制部材の回転規制部からなる、請求項１の塗膜転写具。
【請求項３】
前記ギヤの逆転防止部材をさらに有する、請求項１又は２の塗膜転写具。
【請求項４】
前記テープ繰出長規制機構の作動解除機構をさらに有する、請求項１から３のいずれかの塗膜転写具
【発明の詳細な説明】
【技術分野】
【０００１】
本発明は、文字修正用塗膜、接着用粘着膜、装飾用塗膜等を被転写体に押圧転写する塗膜転写具に関する。
【背景技術】
【０００２】
従来の塗膜転写具としては、端部に転写ヘッドを具えたケース内に、繰出コアと巻取コアが回転可能に支承され、基材テープに塗膜が塗布された転写テープが繰出コアに巻回されたものが知られており、転写ヘッドを被転写面に押圧し、被転写面に平行に移動させることにより、被転写面に塗膜が転写される。
【０００３】
上記の塗膜転写具では、十数文字等の比較的長い部分を消去する際には効率良く作業を行うことができるが、一文字〜数文字の微小な部分の消去を行う場合には、転写テープの長さを消去したい文字の末尾に合わせることが難しく、消去したい文字以外の部分まで塗膜が転写したり、逆に転写部分が足りなくなることがたびたび起こる。このような場合には、そのつど塗膜を剥がしたり、引き足さなければならず、文字消去作業に時間が掛かっていた。
【０００４】
一文字（ピンポイント）を修正する塗膜転写具として、転写ヘッドを下向きに押圧することにより塗膜が転写されるスタンプ式の塗膜転写具が特許文献１、２及び３に開示されている。特許文献２及び３においては、スタンプ式の押圧転写とともに、従来のように被転写面に対し平行に移動させた転写もできる構造となっている。これらのスタンプ式の押圧転写具によれば、ヘッドの大きさ（幅）がそのまま塗膜転写面となるため、一定範囲の文字消去を安定して行うことができる。
【特許文献１】特開２００２-２６４５８８号公報
【特許文献２】特開平１１−２２７３８６号公報
【特許文献３】特開２００１-１９９１４号公報
【発明の開示】
【発明が解決しようとする課題】
【０００５】
しかし、上記のスタンプ式の押圧転写具では、転写面範囲が広い為、押圧力が均一に加わりにくく、きれいな転写面が得られないという問題がある。また、転写ヘッド自身が転写幅に合わせた箱状で、その転写ヘッドの上下の動作によって転写を行うため、転写ヘッドを転写面側に押下げるまで文字消去位置が合っているのかどうかが分かりにくいという問題もある。
また、特許文献２及び３のように、押圧転写手段と、被転写面に対して平行移動させる転写手段とを併用する場合、塗膜転写後、ヘッドを上方に移動させ、塗膜を切断しようとしても、転写層等の凝集力が大きく、転写押圧していない面まで塗膜がつながって引き剥がされやすくなる。これを防止するためには、特許文献３に記載されているように塗膜の破断強度と伸長率を規制する必要があり、製造工程が複雑化し、コスト高となる。
【０００６】
本発明は、上記の点に鑑み、被転写面に押圧し被転写面に対して平行移動させる塗膜転写具において、所定の長さの文字列や微小部分の消去作業を、容易且つ確実に行うことができる塗膜転写具を提供することを目的とする。
【課題を解決するための手段】
【０００７】
本発明は、塗膜と基材テープからなる転写テープを繰出コアから繰出し、転写ヘッドで前記塗膜を被転写体に押圧して転写し、転写後の基材テープを巻取コアに巻取る塗膜転写具において、
前記繰出コアの回転範囲を規制することにより前記転写テープの繰出長さを規制するテープ繰出長規制機構を有することを特徴とする塗膜転写具によって前記の課題を解決した。
前記テープ繰出長規制機構は、前記繰出コアと一体回転するギアと、前記ギアに噛合うテープ繰出長規制部材と、該テープ繰出長規制部材の回転規制部から構成することができる。
また、本発明の塗膜転写具は、前記ギヤの逆転防止部材を有するのが好適であり、前記テープ繰出長規制機構は作動が解除でき、通常の転写作業も行なえるようになっているのがよい。
【発明の効果】
【０００８】
本発明の塗膜転写具では、繰出コアの回転を一定範囲に規制し所定位置で強制的に停止させることにより、所定の長さ以上に転写テープが繰出されないことにより、言わば、ピンポイントに塗膜の転写を行なうことが可能となり、繰出されるテープの長さは、数段階に調節することができる。
従って、常に所定の転写テープ長が得られるため、特に、一文字、二文字等の微小部分の消去作業を確実に行うことができる。
【発明を実施するための最良の形態】
【０００９】
以下に、本発明の実施形態を図面に基づいて説明する。
図１は、本発明の塗膜転写具の１実施形態を示し、図１はカバー２１ｂを外した状態の上面図である。なお、図１は、転写面を上にして示されている。
図２は、図１の１−１線断面図であり、図３は、図１においてカバー２１ｂを装着した状態の、矢印ａ方向から見た側面図である。
図１及び図２に示すように、本発明の塗膜転写具１０は、２つの支軸２２ａ，２２ｂを具えたケース２１ａ、ケース端部に設けられ、先端に押圧転写部３４を具えた転写ヘッド３０、各支軸２２ａ，２２ｂに回転可能に支承された繰出コア２４ｂと巻取コア２４ａ、基材テープに塗膜が塗布された転写テープＴ及び、後述するテープ繰出規制機構２０を有している。
【００１０】
繰出コア２４ｂと巻取コア２４ａは、無端状のゴムベルトＢＴ（ベルト式連動機構）によって連動して回転する。繰出コア２４ｂに巻回された転写テープＴが引出され、押圧転写部３４において塗膜と基材テープとに別れ、塗膜が被転写面に転写され、基材テープだけが巻取コア２４ａに巻取られる。
【００１１】
本発明では、繰出コア２４ｂの回転範囲を規制し、所定の位置で強制的に停止させることによって、常に所定の長さの転写テープが繰出される構造を有するテープ繰出長規制機構２０（以下、略して「規制機構」という。）が設けられている。
この規制機構２０は、繰出コア２４ｂと一体回転するギア２５と、ギア２５に噛合うテープ繰出長規制部材（以下、略して「規制部材」という。）２６及び規制部材２６の回転範囲を規制する開口部（回転規制部）２８からなる。
【００１２】
図４は、規制部材２６の斜視図である。規制部材２６のほぼ中央には、後述するように、規制部材２６を非作動状態に維持するための円弧状のばね２９が設けられ、ばね２９の中央部にはギア２５と噛合う突起部３１が設けられている。また、規制部材２６には、長円形の孔３２、Ｕ字溝３３及び指でつまむための平坦部３４が設けられている。図１及び図２に示すように、規制部材２６は、一体回転するギア２５と繰出コア２４ｂとともに支軸２２ｂに回転自在に支承され、規制部材２６の平坦部３４は開口部２８の外にある。孔３２は、支軸２２ｂの径よりも規制部材２６長手方向に長く形成されているため、孔３２と支軸２２ｂとの間に、規制部材２６長手方向の遊びを有している。
【００１３】
図５は、規制機構２０付近を拡大して示した斜視図である。なお、図５ではカバー２１ｂが外されている。規制部材２６は開口部２８の両端部である始端部Ａと終端部Ｂの間を移動できるが、同図では、終端部Ｂに当たって、転写テープの繰出しが規制された状態を示している。規制部材２６の突起部３１は、繰出コア２４ｂと一体回転するギア２５と噛合っている。
【００１４】
規制部材２６を手前に引っ張り、規制部材２６の突起部３１をギア２５との噛合いから外して、規制部材２６を時計方向に回転させ、前記始端部Ａと終端部Ｂ点の間の位置で突起部３１をギア２５と噛合わせる。この状態で、塗膜転写具１０を被転写体に押圧し、転写テープＴの繰出しを開始すると、ギア２５が回転し、これに伴って規制部材２６が繰出し方向（矢印方向）に回転し、開口部２８内を終端部Ｂに向かって移動する。規制部材２６が終端部Ｂに当接すると、繰出コア２４ｂの回転が止まり、これによって転写テープＴの繰出しが強制的に停止させられる。
【００１５】
繰出されるテープの長さは、数段階に調節することができる。
図３に示すように、開口部２８の上部（すなわち、カバー２１ｂ）には、目盛２、４、６が刻まれており、これらは転写テープＴが繰出される長さ（単位：ｍｍ）を表している。図３の場合、１目盛がギア２５のピッチに相当している（図１を参照。）。
図１及び図３では、規制部材２６が終端部Ｂに当接した状態、すなわち、繰出コア２４ｂの回転が停止した状態が示されているが、例えば、規制部材２６の平坦部３４の中央位置を目盛２に合わせておけば、規制部材２６が繰出し方向に１２°回転し、終端部Ｂに当たって繰出コア２４ｂの回転が停止するまでに２ｍｍの長さのテープが繰出されるようになっている。
【００１６】
転写テープの繰出し長さを調節するために、規制部材２６を手前に引っ張って時計方向に移動させる際、ギア２５が繰出し方向と逆方向に回転してしまうのを防止するために、逆転防止部材２７が設けられている。図６は逆転防止部材２７付近を拡大して示した斜視図である。図６に示すように、この逆転防止部材２７は、その先端が斜面を成す板ばねで構成されており、繰出し方向にギア２５が回転する場合には、ギア２５が斜面２７ａを押すと板ばねが弾性変形してギア２５を通過させるためにギア２５の回転は妨げられず、逆に、ギア２５が繰出し方向と逆方向へ回転しようとするときは、ギア２５の端面が逆転防止部材２７の垂直面２７ｂに当たることによって逆転が妨げられる構造になっている。なお、この逆転防止部材２７は、要は、ギア２５を一方向にのみ回転させるような構造を有するものであればよく、板ばねには限定されない。
また、図３に示した目盛は一例であり、ギア２５のピッチを変えれば、より目盛を細かく刻むことができ、より微小な部分の消去を行うことが可能となることは言うまでもない。
【００１７】
次に、図７は、塗膜転写具１０を通常どおり使用しようとする場合、すなわち、テープ繰出長規制機構２０を使用しない場合を示した上面図である。この場合は、平坦部３４を指でつまみ、ばね２９に抗して規制部材２６を引出して、突起部３１とギア２５との噛合いを外し、図７に示すように、規制部材２６のＵ字溝３３を開口部２８の終端部Ｂに嵌合させることによって、規制部材２６をケース２１ａに固定する。これによって、突起部３１とギア２５の噛合いが解除された状態が継続するので、通常の，連続した転写テープＴの繰出しができるようになる。ばね２９は弾性変形して、Ｕ字溝３３と開口部２８の終端部Ｂとの係合状態を維持する。
前記ばね２９、Ｕ字溝３３及び開口部２８の終端部Ｂは、テープ繰出長規制機構２０の作動解除機構４０を構成している。
【００１８】
以上説明したように、本発明によれば、被転写面に対し平行移動させる塗膜転写具でも、１文字や２文字程度の微小部分の消去作業を容易且つ確実に行うことができる効果がある。
【００１９】
また、テープ繰出長規制機構の作動が解除できるようにしておけば、通常の連続した転写テープの繰出しもすることができる。
【図面の簡単な説明】
【００２０】
【図１】本発明の塗膜転写具の一実施形態を示す、カバーを取外した状態の上面図。
【図２】図１の１−１線断面図。
【図３】図１を矢印ａ方向から見た側面図。
【図４】テープ繰出長規制部材の斜視図。
【図５】テープ繰出長規制機構付近を拡大して示した斜視図。
【図６】逆転防止部材付近を拡大して示した斜視図。
【図７】テープ繰出長規制機構の作動が解除された状態を示す要部上面図。
【符号の説明】
【００２１】
１０：塗膜転写具
２４ａ：巻取コア
２４ｂ：繰出コア
３０：転写ヘッド
２０：テープ繰出長規制機構
２５：ギア
２６：テープ繰出長規制部材
２７：逆転防止部材
２８：開口部（回転規制部）
４０：作動解除機構
Ｔ：転写テープ
【図１】
2006123464.tif 000003
【図２】
2006123464.tif 000004
【図３】
2006123464.tif 000005
【図４】
2006123464.tif 000006
【図５】
2006123464.tif 000007
【図６】
2006123464.tif 000008
【図７】
2006123464.tif 000009